【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
商品を輸送ネットワークに沿って自動的に搬送するために使用される輸送管理システムであって、前記輸送ネットワークは、複数の場所の間に延びる複数の所定の走行路を含み、前記輸送管理システムはプロセッサを備え、前記プロセッサは、
前記輸送ネットワークに沿って商品を搬送するリクエストを受信し、
前記輸送ネットワークに沿って前記商品を搬送する輸送ビークルを指定し、
前記商品を受け取る配送元地点、及び前記商品を荷降ろしする配送先地点を含む、前記輸送ネットワークに沿ったビークル進路軌跡を、前記輸送ネットワークに沿った前記指定輸送ビークルの場所に少なくとも部分的に基づいて計算し、
前記指定輸送ビークルを、前記計算されたビークル進路軌跡に沿って搬送し、そして、 
前記計算されたビークル進路軌跡が実際のビークル進路軌跡と相違するとき、ユーザ入力装置に通知を送信するように構成される、輸送管理システム。
【請求項２】
前記プロセッサは更に、前記輸送ネットワークに沿って設定される走行方向を有する複数のモータ機構を選択的に動作させて、前記指定輸送ビークルを前記輸送ネットワークに沿って搬送させるように構成される、請求項１に記載の輸送管理システム。
【請求項３】
前記プロセッサは更に、
固有ビークル識別子に関連する前記指定輸送ビークルの場所を前記輸送ネットワークに沿って決定し、そして
前記指定輸送ビークルに隣接するモータ機構を選択的に動作させて、前記指定輸送ビークルを前記輸送ネットワークに沿って搬送させるように構成される、請求項２に記載の輸送管理システム。
【請求項４】
前記複数のモータ機構の各モータ機構は、前記輸送ネットワークの所定のセグメントについて設定される走行方向を有し、前記プロセッサは、前記指定輸送ビークルが前記モータ機構に関連する所定のセグメント内に位置しているときに、前記複数のモータ機構のうちの１つのモータ機構を作動状態にし、そして前記指定輸送ビークルが前記関連する所定のセグメント内に位置していないときに、前記モータ機構を非作動状態にするように構成される、請求項３に記載の輸送管理システム。
【請求項５】
前記プロセッサは更に、
前記輸送ネットワークに沿って、前記商品を配送先場所に配送するリクエストを受信し、
前記輸送ネットワークに沿って、リクエストされた前記商品の場所を決定し、そして
決定された前記商品場所に関連する配送元地点、及び前記配送先場所に関連する配送先地点を含む前記ビークル進路軌跡を計算するように構成される、請求項４に記載の輸送管理システム。
【請求項６】
商品を輸送ネットワークに沿って輸送する方法であって、前記方法は、
商品を輸送ネットワークに沿って搬送するリクエストを輸送管理システムによって受信することであって、前記輸送ネットワークが、複数の場所の間に延びる複数の所定の走行路を含む、前記受信することと、
前記商品を前記輸送ネットワークに沿って搬送する輸送ビークルを指定することと、
前記輸送ネットワークに沿った前記指定輸送ビークルの場所に少なくとも部分的に基づいて、配送元地点及び配送先地点を含むビークル進路軌跡を決定することと、
決定された前記ビークル進路軌跡に沿って、前記指定輸送ビークルを搬送することと
前記決定されたビークル進路軌跡が実際のビークル進路軌跡と相違するとき、ユーザ入力装置に通知を送信することと
を含む方法。
【請求項７】
更に、前記輸送ネットワークに沿って設定される走行方向を有する複数のモータ機構を選択的に動作させて、輸送ネットワークに沿って前記指定輸送ビークルを搬送させることを含み、各モータ機構は、前記輸送ネットワークの所定のセグメントについて設定される走行方向を有する、請求項６に記載の方法。
【請求項８】
前記輸送ネットワークに沿った前記輸送ビークルの位置を表わす信号を受信することと、
検出された前記位置に隣接するモータ機構を選択的に動作させて、前記輸送ネットワークに沿って前記輸送ビークルを搬送させることとをさらに含む、請求項７に記載の方法。
【請求項９】
前記輸送管理システムから、前記商品を配送する輸送ビークルを指定するリクエストをビークル登録装置に送信することと、
前記輸送ネットワークに沿った複数の輸送ビークルのステータスを決定することと、
各輸送ビークルについて決定された前記ステータスに少なくとも部分的に基づいて、前記商品を搬送する輸送ビークルを指定することと、
前記ビークル登録装置から、前記指定輸送ビークルに関連する固有ビークル識別子を含む確認メッセージを受信することとをさらに含む、請求項７に記載の方法。
【請求項１０】
前記輸送ネットワークに沿って、前記固有ビークル識別子に関連する前記指定輸送ビークルの場所を確認することと、
前記指定輸送ビークルに隣接するモータ機構を選択的に動作させて、輸送ネットワークに沿って前記指定輸送ビークルを搬送させることとをさらに含む、請求項９に記載の方法。
【請求項１１】
前記輸送ネットワークに沿った各輸送ビークルの位置を表わす信号を受信することと、
各輸送ビークルについて検出された前記位置に少なくとも部分的に基づいて、前記商品を搬送する前記輸送ビークルを指定することとをさらに含む、請求項９に記載の方法。
【請求項１２】
前記輸送ネットワークに沿った前記複数の輸送ビークルの各輸送ビークルの作業ステータスを表わす信号を受信することと、
前記作業ステータスに少なくとも部分的に基づいて、前記商品を搬送する輸送ビークルを指定することとをさらに含む、請求項９に記載の方法。
【請求項１３】
前記輸送ネットワークに沿って前記商品を配送先場所に配送するリクエストを受信することと、
前記輸送ネットワークに沿って、リクエストされた前記商品の場所を決定することと、
決定された前記商品場所に関連する配送元地点、及び前記配送先場所に関連する配送先地点を含む前記ビークル進路軌跡を決定することとをさらに含む、請求項６に記載の方法。
【手続補正２】
【補正対象書類名】明細書
【補正対象項目名】００６０
【補正方法】変更
【補正の内容】
【００６０】
この記載の説明では、種々の例を用いて、最良の形態を含む本発明を開示し、そして更に、この技術分野の当業者であれば誰でも、本発明を実施することにより、任意のデバイスまたはシステムを作製及び使用し、そして組み込まれる任意の方法を実行することができるようにしている。本発明の特許可能な範囲は、請求項によって規定され、そしてこの技術分野の当業者が想到することができる他の例を含むことができる。このような他の例は、これらの請求項の範囲に、これらの例が、これらの請求項の文言と異ならない構造的要素を有する場合に、またはこれらの例が、これらの請求項の文言とは殆ど異ならない等価な構造的要素を含む場合に包含されるべきである。
また、本願は以下に記載する態様を含む。
（態様１）
商品を輸送ネットワークに沿って自動的に搬送するために使用される輸送管理システムであって、前記輸送ネットワークは、複数の場所の間に延びる複数の所定の走行路を含み、前記輸送管理システムはプロセッサを備え、前記プロセッサは、
前記輸送ネットワークに沿って商品を搬送するリクエストを受信し、
前記輸送ネットワークに沿って前記商品を搬送する輸送ビークルを指定し、
前記商品を受け取る配送元地点、及び前記商品を荷降ろしする配送先地点を含む、前記輸送ネットワークに沿ったビークル進路軌跡を、前記輸送ネットワークに沿った前記指定輸送ビークルの場所に少なくとも部分的に基づいて計算し、そして
前記指定輸送ビークルを、決定された前記輸送軌跡に沿って搬送するように構成される、輸送管理システム。
（態様２）
前記プロセッサは更に、前記輸送ネットワークに沿って設定される走行方向を有する複数のモータ機構を選択的に動作させて、前記指定輸送ビークルを前記輸送ネットワークに沿って搬送させるように構成される、態様１に記載の輸送管理システム。
（態様３）
前記プロセッサは更に、
固有ビークル識別子に関連する前記指定輸送ビークルの場所を前記輸送ネットワークに沿って確認し、そして
前記指定輸送ビークルに隣接するモータ機構を選択的に動作させて、前記指定輸送ビークルを前記輸送ネットワークに沿って搬送させるように構成される、態様２に記載の輸送管理システム。
（態様４）
前記複数のモータ機構の各モータ機構は、前記輸送ネットワークの所定のセグメントについて設定される走行方向を有し、前記プロセッサは、前記指定輸送ビークルが前記モータ機構に関連する所定のセグメント内に位置しているときに、前記複数のモータ機構のうちの１つのモータ機構を作動状態にし、そして前記指定輸送ビークルが前記関連する所定のセグメント内に位置していないときに、前記モータ機構を非作動状態にするように構成される、態様３に記載の輸送管理システム。
（態様５）
前記プロセッサは更に、
前記輸送ネットワークに沿って、前記商品を配送先場所に配送するリクエストを受信し、
前記輸送ネットワークに沿って、リクエストされた前記商品の場所を確認し、そして
確認された前記商品場所に関連する配送元地点、及び前記配送先場所に関連する配送先地点を含む前記ビークル進路軌跡を計算するように構成される、態様４に記載の輸送管理システム。
（態様６）
商品を輸送ネットワークに沿って輸送する方法であって、前記方法は、
商品を輸送ネットワークに沿って搬送するリクエストを輸送管理システムによって受信することであって、前記輸送ネットワークが、複数の場所の間に延びる複数の所定の走行路を含む、前記受信することと、
前記商品を前記輸送ネットワークに沿って搬送する輸送ビークルを指定することと、
前記輸送ネットワークに沿った前記指定輸送ビークルの場所に少なくとも部分的に基づいて、配送元地点及び配送先地点を含むビークル進路軌跡を決定することと、
決定された前記ビークル進路軌跡に沿って、前記指定輸送ビークルを搬送することと
を含む方法。
（態様７）
更に、前記輸送ネットワークに沿って設定される走行方向を有する複数のモータ機構を選択的に動作させて、輸送ネットワークに沿って前記指定輸送ビークルを搬送させることを含み、各モータ機構は、前記輸送ネットワークの所定のセグメントについて設定される走行方向を有する、態様６に記載の方法。
（態様８）
前記輸送ネットワークに沿った前記輸送ビークルの位置を表わす信号を受信することと、
検出された前記位置に隣接するモータ機構を選択的に動作させて、前記輸送ネットワークに沿って前記輸送ビークルを搬送させることとをさらに含む、態様７に記載の方法。
（態様９）
前記輸送管理システムから、前記商品を配送する輸送ビークルを指定するリクエストをビークル登録装置に送信することと、
前記輸送ネットワークに沿った複数の輸送ビークルのステータスを確認することと、
各輸送ビークルについて確認された前記ステータスに少なくとも部分的に基づいて、前記商品を搬送する輸送ビークルを指定することと、
前記ビークル登録装置から、前記指定輸送ビークルに関連する固有ビークル識別子を含む確認メッセージを受信することとをさらに含む、態様７に記載の方法。
（態様１０）
前記輸送ネットワークに沿って、前記固有ビークル識別子に関連する前記指定輸送ビークルの場所を確認することと、
前記指定輸送ビークルに隣接するモータ機構を選択的に動作させて、輸送ネットワークに沿って前記指定輸送ビークルを搬送させることとをさらに含む、態様９に記載の方法。
（態様１１）
前記輸送ネットワークに沿った各輸送ビークルの位置を表わす信号を受信することと、
各輸送ビークルについて検出された前記位置に少なくとも部分的に基づいて、前記商品を搬送する前記輸送ビークルを指定することとをさらに含む、態様９に記載の方法。
（態様１２）
前記輸送ネットワークに沿った前記複数の輸送ビークルの各輸送ビークルの作業ステータスを表わす信号を受信することと、
前記作業ステータスに少なくとも部分的に基づいて、前記商品を搬送する輸送ビークルを指定することとをさらに含む、態様９に記載の方法。
（態様１３）
前記輸送ネットワークに沿って前記商品を配送先場所に配送するリクエストを受信することと、
前記輸送ネットワークに沿って、リクエストされた前記商品の場所を確認することと、
確認された前記商品場所に関連する配送元地点、及び前記配送先場所に関連する配送先地点を含む前記ビークル進路軌跡を決定することとをさらに含む、態様６に記載の方法。